(57)【要約】【課題】回路規模を削減すると共に、バイパスモードにおける信号の損失を低減する。【解決手段】低雑音受信装置１００は、入力信号ＲＦ＿ＩＮを増幅する増幅器１と、増幅器１と出力端子９との間に接続され増幅器１の出力側のインピーダンスを整合する出力整合回路７と、増幅器１をバイパスし、出力が出力整合回路７の出力側に接続されたバイパス回路３と、一端が増幅器１と出力整合回路７との間に接続され他端が交流的な接地に接続され、増幅器１の出力を交流的に接地するか否かを切り替えるスイッチ回路３０１と、を備えている。バイパスモードにおいて、スイッチ回路３０１により増幅器１の出力を交流的な接地に接続することにより、出力整合回路７の出力端子９側からみたインピーダンスを増幅モードよりも低インピーダンスにする。【選択図】図１
2009290411.tif 000002
【特許請求の範囲】
【請求項１】
受信された入力信号を増幅する増幅器と、前記増幅器と出力端子との間に接続され前記増幅器の出力側のインピーダンスを整合する出力整合回路と、前記増幅器をバイパスし、出力が前記出力整合回路の出力側に接続されたバイパス回路と、一端が前記増幅器と前記出力整合回路との間に接続され他端が交流的な接地に接続され、前記増幅器の出力を交流的に接地するか否かを切り替えるスイッチ回路と、を備え、
前記入力信号を前記増幅器を介して前記出力端子に出力する増幅モードと、前記増幅器をバイパスし前記入力信号を前記バイパス回路を介して前記出力端子に出力するバイパスモードとを有し、
前記増幅モードにおいて、前記スイッチ回路により前記増幅器の出力を交流的な接地から切り離すことで、前記増幅器の出力側のインピーダンスを前記出力整合回路によって整合し、
前記バイパスモードにおいて、前記スイッチ回路により前記増幅器の出力を交流的な接地に接続することにより、前記出力端子側からみた前記出力整合回路のインピーダンスを前記増幅モードよりも低くなるよう設定する低雑音受信装置。
【請求項２】
前記出力整合回路は、電源と前記増幅器の間に接続され、前記増幅器にバイアス電圧を供給するコイルを備えた
請求項１に記載の低雑音受信装置。
【請求項３】
前記出力端子の出力をモニタする制御回路を更に備え、
前記制御回路は、前記出力端子の出力が所定の値未満である場合に前記増幅モードに設定し、前記出力端子の出力が前記所定の値以上である場合に前記バイパスモードに設定する
請求項１又は２に記載の低雑音受信装置。
【請求項４】
前記増幅器の入力側に接続され、前記増幅器の入力側のインピーダンスを整合する入力整合回路を更に備えた請求項１乃至３のうちいずれか１項に記載の低雑音受信装置。
【請求項５】
前記増幅器は、バイポーラトランジスタがカスコード接続されることにより構成される
請求項１乃至４のうちいずれか１項に記載の低雑音受信装置。
【請求項６】
前記バイパス回路は、スイッチである請求項１乃至５のうちいずれか１項に記載の低雑音受信装置。
【請求項７】
前記スイッチは、電界効果型トランジスタである請求項６に記載の低雑音受信装置。
【発明の詳細な説明】
【技術分野】
【０００１】
本発明は、高周波フロントエンド回路に設けられる低雑音受信装置に関し、特に、入力されるＲＦ（Ｒａｄｉｏ  Ｆｒｅｑｕｅｎｃｙ）信号強度に応じて、入力されたＲＦ信号を増幅器によって増幅する増幅動作と、増幅器をバイパスするバイパス動作を切り替える低雑音受信装置に関する。
【背景技術】
【０００２】
近年、Ｗｉｒｅｌｅｓｓ‐ＬＡＮ（Ｌｏｃａｌ  Ａｒｅａ  Ｎｅｔｗｏｒｋ）、Ｄ−ＴＶ（Ｄｉｇｉｔａｌ  Ｔｅｌｅｖｉｓｉｏｎ）、ＧＰＳ（Ｇｌｏｂａｌ  Ｐｏｓｉｔｉｏｎｉｎｇ  Ｓｙｓｔｅｍ）等のモバイル端末が急増している。このようなモバイル端末に搭載される低雑音受信装置においては、一般的に、良好な受信感度を得るために、フロントエンド回路にＲＦ信号を増幅するための増幅器が設けられている。モバイル端末は、使用場所が限定されておらず、低雑音受信装置においては、屋内外や、基地局からの距離など、使用環境により、様々な電波強度の無線信号を受信しなければならない。特に、基地局の周辺部でモバイル端末が利用される等、受信される電波強度が強い場合には、低雑音受信装置の増幅器に入力される信号強度が強くなり、増幅した信号が飽和して歪特性が低下する。
【０００３】
これを改善するため、受信されたＲＦ信号の強度が強い場合には、増幅器をバイパスさせ、入力されたＲＦ信号をそのまま後段に伝える方法が提案されている（特許文献１、２）。このような増幅器を倍パスする機能を備えた低雑音受信装置においては、バイパス用のスイッチデバイスを設けなければならいため、小型化が進むモバイル端末ではさらなる小型化・簡素化が求められている。
【０００４】
図７は、特許文献１に開示された装置を示すブロック図である。６１はＬＮＡ（Ｌｏｗ  Ｎｏｉｓｅ  Ａｍｐｌｉｆｉｅｒ）、６２、６３はアッテネータ、６６は入力整合回路、６４、６７は出力整合回路、６８はＲＦ（Ｒａｄｉｏ  Ｆｒｅｑｕｅｎｃｙ）入力端子、６９はＲＦ出力端子、６５は１入力１出力型スイッチ回路である。入力整合回路６６は、ＬＮＡ６１の入力側のインピーダンスに整合するよう構成されている。出力整合回路６７は、ＬＮＡ６１の出力側のインピーダンスを整合するよう構成されている。ＲＦ入力端子６８から受信された電波強度がＬＮＡ６１の入力飽和電力よりも十分に小さい場合、ＲＦ信号を増幅経路に通す。このときスイッチ６５の入出力端子間は開放でありアッテネータ６２は最小の減衰量に設定されている。このように、電波強度が小さい場合においては、受信されたＲＦ信号は、入力整合回路６６及びアッテネータ６２を経てＬＮＡ６１で増幅され、出力整合回路６７を介して出力端子６９から出力される。
【０００５】
ＲＦ信号の電力が大きくなり、アッテネータ６２の最大減衰量に設定しても出力電力が所定のしきい値Ｐｍａｘを越える場合には、受信されたＲＦ信号をバイパス経路に通す。すなわち、アッテネータ６２の減衰量を最大にして、スイッチ６５の入出力端子間を短絡させる。アッテネータ６３は、後段のミキサが飽和しないようにその減衰量が調整されている。このように、ＲＦ信号の信号強度が大きい場合には、受信されたＲＦ信号は、アッテネータ６３及び出力整合回路６４、６７を介して出力端子６９から出力される。バイパス経路を用いることで、受信されたＲＦ信号の電波強度が大きい場合においても、ＲＦ出力を設定された範囲に保ち、増幅器、ミキサ等の非線形素子が飽和するのを防ぐことができる。
【０００６】
図８は、特許文献２に開示された装置を示すブロック図である。この装置では、特許文献１と同様に、入力端子８１から入力整合回路８２を介して入力されたＲＦ信号が、振幅に応じてバイパス回路８３及び増幅回路８４のうちいずれか一方を介して出力整合回路８７に出力される。増幅回路８４の有するトランジスタ８５、８６は、増幅器を構成している。第１制御回路９０は、バイパス回路８３及び増幅回路８４のスイッチとして機能するトランジスタ８８、８９のゲート電圧を供給している。第１制御回路９０は、受信されたＲＦ信号の信号強度に応じて、トランジスタ８８、８９のゲート電圧を制御することにより、受信されたＲＦ信号をバイパス回路８３又は増幅回路８４のいずれか一方に入力するよう制御する。バイパス回路８３又は増幅回路８４の出力は、共通の出力整合回路８７に入力されている。
【０００７】
このように、特許文献２に記載された装置では、バイパス回路８３及び増幅回路８４において出力整合回路８７を共有することで、図８に記載された特許文献１の回路構成よりも、出力側の整合回路の数を削減することができる。
【特許文献１】特開平１０−８４３００号公報
【特許文献２】特開２００８−２８９０８号公報
【発明の開示】
【発明が解決しようとする課題】
【０００８】
しかしながら、特許文献１に記載された装置では、出力側の整合回路として、バイパス経路及び増幅経路のそれぞれのインピーダンスを整合するために、２つの出力整合回路（６４、６７）が設けられている。整合回路は、一般的に、キャパシタやインダクタ素子が用いられる。そのため、特許文献１に記載された装置では、素子数が増加し、回路スペースの増加や、コストアップが問題となる。また、整合回路に用いるキャパシタやインダクタは、一般的に素子サイズが大きいため、チップ面積が大きくなり、チップコストが増加するという問題がある。
【０００９】
また、特許文献２に記載された装置では、出力整合回路の入力が、バイパス経路及び増幅経路とで共通となっている。ここで、出力整合回路８は、増幅回路８４を介する経路の特性が良好となるようにインピーダンスが設定されている。そのため、バイパス回路８３を介する際には、出力整合回路８においてインピーダンスの不整合が生じ、バイパス信号の損失が大きくなるという問題を有する。
【課題を解決するための手段】
【００１０】
本発明に係る低雑音受信装置の一態様は、受信された入力信号を増幅する増幅器と、前記増幅器と出力端子との間に接続され前記増幅器の出力側のインピーダンスを整合する出力整合回路と、前記増幅器をバイパスし、出力が前記出力整合回路の出力側に接続されたバイパス回路と、一端が前記増幅器と前記出力整合回路との間に接続され他端が交流的な接地に接続され、前記増幅器の出力を交流的に接地するか否かを切り替えるスイッチ回路と、を備え、前記入力信号を前記増幅器を介して前記出力端子に出力する増幅モードと、前記増幅器をバイパスし前記入力信号を前記バイパス回路を介して前記出力端子に出力するバイパスモードとを有し、前記増幅モードにおいて、前記スイッチ回路により前記増幅器の出力を交流的な接地から切り離すことで、前記増幅器の出力側のインピーダンスを前記出力整合回路によって整合し、前記バイパスモードにおいて、前記スイッチ回路により前記増幅器の出力を交流的な接地に接続することにより、前記出力端子側からみた前記出力整合回路のインピーダンスを前記増幅モードよりも低くなるよう設定することを特徴とする。
【００１１】
本発明の一態様においては、バイパス回路の出力を出力整合回路の出力側に接続し、スイッチ回路によって増幅器の出力側を選択的に交流的な接地に接続可能とすることで、増幅モードとバイパスモードで出力整合回路の出力端子側からみたインピーダンスを切り替えることができる。これにより、出力整合回路の数を削減すると共に、バイパスモード時のバイパス信号の損失を低減することができる。
【発明の効果】
【００１２】
本発明に係る低雑音受信装置の一態様によれば、出力整合回路の数を削減すると共に、バイパスモード時のバイパス信号の損失を低減することができる。
【発明を実施するための最良の形態】
【００１３】
以下、添付した図面を参照して本発明の実施の形態について説明する。
【００１４】
図１は、本発明の実施形態に係る低雑音受信装置の構成例を示すブロック図である。この低雑音受信装置１００は、入力信号ＲＦ＿ＩＮを増幅する増幅器１と、増幅器１と出力端子９との間に接続され増幅器１の出力側のインピーダンスを整合する出力整合回路７と、増幅器１をバイパスし、出力が出力整合回路７の出力側に接続されたバイパス回路３と、一端が増幅器１と出力整合回路７との間に接続され他端が交流的な接地に接続され、増幅器１の出力を交流的に接地するか否かを切り替えるスイッチ回路３０１と、を備えている。
【００１５】
低雑音受信装置１００は、入力信号ＲＦ＿ＩＮの振幅に応じて、入力信号ＲＦ＿ＩＮを増幅器１を介して出力端子９に出力する増幅モードと、入力信号ＲＦ＿ＩＮを増幅器１をバイパスさせ、バイパス回路３を介して出力端子９に出力するバイパスモードとを有している。入力信号ＲＦ＿ＩＮの振幅が小さい場合には、低雑音受信装置１００は、入力信号ＲＦ＿ＩＮを増幅器１を介して出力端子９に出力する増幅モードに設定される。増幅モードにおいては、スイッチ回路３０１により増幅器１の出力を交流的な接地から切り離すことで、増幅器１の出力側のインピーダンスを出力整合回路７によって整合する。
【００１６】
入力信号ＲＦ＿ＩＮの振幅が大きい場合には、低雑音受信装置１００は、入力信号をバイパス回路３を介して出力端子９に出力するバイパスモードに設定される。バイパスモードにおいては、スイッチ回路３０１により増幅器１の出力を交流的な接地に接続することにより、出力整合回路７の出力端子９側からみたインピーダンスを増幅モードよりも低インピーダンスにする。
【００１７】
低雑音受信装置１００には、図示しない制御回路が設けられている。制御回路は、出力端子９の出力信号の振幅を所定のしきい値と比較することにより、入力信号ＲＦ＿ＩＮの振幅が増幅器１を介する必要がないほど十分に大きいか否かを判断する。制御回路は、出力端子９の出力が所定のしきい値より小さければ、入力信号ＲＦ＿ＩＮの振幅が小さいと判断し、低雑音受信装置１００を増幅モードに設定する。また、制御回路は、出力端子９の出力が所定のしきい値を超えれば、入力信号ＲＦ＿ＩＮの振幅が大きいと判断し、低雑音受信装置１００をバイパスモードに設定する。
【００１８】
更に、図１を用いて低雑音受信装置１００の構成について説明する。低雑音受信装置１００には、増幅器１の入力側のインピーダンスを整合する入力整合回路６が更に設けられている。入力整合回路６は、一端が入力端子１に接続され、出力が増幅器１の入力に接続されている。
【００１９】
増幅器１は、入力が入力整合回路６に接続され、出力がスイッチ回路３０１を介して交流的に接地されると共に、出力整合回路７に接続されている。ここで、増幅器１の出力ノードをノードＡと呼ぶ。増幅器１の入力側のインピーダンスは、入力整合回路６によって整合され、出力側のインピーダンスは出力整合回路７によって整合されている。
【００２０】
スイッチ回路３０１は、ノードＡと交流的な接地の間に接続されている。スイッチ回路３０１は、ノードＡを交流的な接地に接続するか否かにより、出力整合回路７の出力端子９からみたインピーダンスを切り替えるよう構成されている。スイッチ回路３０１のＯＮ／ＯＦＦは、前述した制御回路によって制御されている。
【００２１】
出力整合回路７は、増幅器１の出力側のインピーダンスを整合する値に設定されている。出力整合回路７は、増幅器１の出力側に接続されている。出力整合回路７は、スイッチ回路３０１が増幅器１の出力を交流的に接地するか否かにより、出力端子９側からみたインピーダンスが切り替わる。以下、出力整合回路７の出力ノードをノードＢと呼ぶ。
【００２２】
出力整合回路７は、増幅モードにおいて、増幅器１の出力側が交流的な接地から切り離されることにより、増幅器１の出力側のインピーダンスを整合するよう機能する。一方、バイパスモードにおいては、増幅器１の出力がスイッチ回路３０１によって交流的に接地される。すなわち、出力整合回路７の増幅器１に接続された端子が交流的に接地される。これにより、出力整合回路７は、バイパスモードにおいて、出力端子９側からみたインピーダンスが増幅モードよりも低インピーダンスに設定される。
【００２３】
バイパス回路３は、入力整合回路６の出力と増幅器１の入力とノードＢの間に接続されている。バイパス回路３は、バイパスモードにおいて、増幅器１と出力整合回路７をバイパスするバイパス経路となるよう構成されている。バイパス回路３は、後述するようにスイッチによって構成され、前述した制御回路によってＯＮ／ＯＦＦが制御されている。
【００２４】
図２は、本発明の実施形態に係る低雑音受信装置の更に詳細な構成例を示す回路図である。入力整合回路６は、コンデンサ５０１及びコイル５０２を備えている。コイル５０２は、一端がＤＣカット用のコンデンサ３１０を介して入力端子８に接続されると共に、コンデンサ５０１を介して接地されている。また、コイル５０２の他端は、バイパス回路３に接続されると共に、増幅器１に接続されている。なお、入力整合回路６の構成はこれに限定されるものではなく、増幅器１の構成に応じて、抵抗などを用いてもよい。
【００２５】
増幅器１は、カスコード接続されたトランジスタによって構成されている。増幅器１は、例えば、バイポーラトランジスタを２段接続することにより構成される。増幅器１は、ＮＰＮトランジスタ５０３、５０４、及びコンデンサ３１１を備えている。ＮＰＮトランジスタ５０３は、コレクタがノードＡに接続され、ベースがコンデンサ３１１を介して接地され、エミッタがＮＰＮトランジスタ５０４のコレクタに接続されている。ＮＰＮトランジスタ５０４は、コレクタがＮＰＮトランジスタ５０３のエミッタに接続され、ベースが入力整合回路６のコイル５０２に接続され、エミッタが接地されている。
【００２６】
増幅器１の出力（ノードＡ）は、コンデンサ５０５を介してスイッチ回路３０１に接続されると共に、出力整合回路７に接続されている。スイッチ回路３０１は、ＭＯＳトランジスタ５０６を備えて構成されている。ＭＯＳトランジスタ５０６は、一端がコンデンサ５０５を介してノードＡに接続され、他端が交流的に接地されている。ＭＯＳトランジスタ５０６をＯＮ／ＯＦＦさせることにより、ノードＡを交流的に接地する否かを切り替えることができる。ＭＯＳトランジスタ５０６は、バイパスモード時にＯＮとなって、ノードＡを交流的に接地することにより、出力整合回路７を低インピーダンスに設定する。また、スイッチ回路３０１は、増幅モード時にはＯＦＦとなって、ノードＡを交流的な接地から切り離す。
【００２７】
バイパス回路３は、ＭＯＳトランジスタ５０７を備えて構成されている。ＭＯＳトランジスタ５０７は、一端が入力整合回路６の出力側に接続されると共に、他端がＤＣカット用のコンデンサ３１３を介してノードＢに接続されている。増幅モードでは、ＭＯＳトランジスタ５０７がＯＦＦとなって、受信された入力信号ＲＦ＿ＩＮが増幅器１及び出力整合回路７を介してノードＢに出力される。バイパスモードでは、ＭＯＳトランジスタ５０７がＯＮとなって、受信された入力信号ＲＦ＿ＩＮがバイパス回路３を介して出力端子９に出力される。
【００２８】
スイッチ回路３０１は、一端がノードＡとノードＢの間に接続され、他端が交流的に接地されている。なお、コンデンサ３１０、３１１、３１２及び３１３はＤＣカット用のコンデンサである。
【００２９】
出力整合回路７は、コイル５０８、５０９を備えて構成されている。コイル５０８の一端は電源に接続され、他端は、ノードＡに接続されている。コイル５０９の一端は、コイル５０８を介して電源に接続され、他端はコンデンサ３１２を介してノードＢに接続されている。なお、出力整合回路７の構成はこれに限られるものではなく、増幅器１の構成に応じて、コイル５０９の代わりにコンデンサや抵抗を用いてもよい。
【００３０】
次に、図３及び図４を用いて、本発明の実施形態に係る低雑音受信装置１００の動作について説明する。図３は、増幅モードにおける低雑音受信装置１００の動作を示したものであり、図４は、バイパスモードにおける低雑音受信装置１００の動作を示したものである。
【００３１】
図３に示す増幅モードでは、増幅器１は動作状態となり、図２に示すバイパス回路３のＭＯＳトランジスタ５０７がＯＦＦに設定される。また、図２に示すスイッチ回路３０１のＭＯＳトランジスタ５０６がＯＦＦに設定される。入力端子８より入力されたＲＦ信号は、入力整合回路６を介して増幅器１に入力され、増幅器１によって増幅され、出力整合回路７を介して出力端子９から出力される。増幅モードにおいて、出力整合回路７は、増幅器１の出力側のインピーダンスを整合させるよう動作する。
【００３２】
このとき、増幅器１の入力信号に関して、インピーダンス不整合による特性劣化（ＮＦ、損失）はなく、増幅器１にて増幅動作される。増幅された信号は、出力整合回路７により、増幅器１の出力インピーダンスと出力端子後段のインピーダンスＺｏｕｔが整合され、出力端子９から出力される。このとき、バイパス回路３、スイッチ回路３０１の入出力間のアイソレーションは十分に高く、スイッチによるに低雑音増幅動作における信号損失は無視できるものとする。
【００３３】
図４に示すバイパスモードでは、増幅器１は非動作状態となり、バイパス回路３のＭＯＳトランジスタ５０７がＯＮに設定され、バイパス回路３が信号経路となる。また、バイパスモードにおいては、スイッチ回路３０１のＭＯＳトランジスタ５０６がＯＮに設定され、増幅モード時に増幅器１より増幅された信号が出力されるノードＡが交流的に接地される。この結果、出力整合回路７の出力端子９からみたインピーダンスが増幅モードにおけるインピーダンスに比べ低インピーダンスに設定される。このとき、出力端子９からは、入力整合回路６によるインピーダンス不整合分のみで出力される。
【００３４】
次に、スイッチ回路３０１の役割について説明する。図５は、本発明の実施形態に係る低雑音受信装置１００において、スイッチ回路３０１がない場合の回路構成を示す図である。図５においては、増幅器１の寄生容量をＣとし、寄生抵抗をＲとして示す。図５に示すように、増幅器１の寄生容量Ｃと出力整合回路７のコイル５０８によって共振器４０１が構成される。出力整合回路７は、増幅器１の出力側のインピーダンスを設定するよう構成されており、共振器４０１の共振周波数は、出力整合回路７において整合した所定の周波数とほぼ一致する。換言すれば、増幅器１の出力側のインピーダンスを整合させる条件は、ＬＣ回路の共振現象が発生する条件と一致する。
【００３５】
そのため、増幅器１をバイパスされた信号は、共振器４０１が共振することにより、所望の周波数が出力端子９から出力されないこととなる。これに対し、本実施形態では、スイッチ回路３０１を設けることにより、増幅器１の寄生容量Ｃと出力整合回路７のコイル５０８によって構成される共振器４０１の形成をなくし、共振現象による信号損失を防止することができる。
【００３６】
図６に、共振現象のシミュレーション結果を示す。図６は、図５に示す回路において、１．５７５ＧＨｚの狭帯域において増幅モード時に合わせてインピーダンス整合を行った場合の、バイパスモードにおけるＳパラメータによる通過損失特性を示した図である。図６に示すように、バイパスモード時では、整合を行った１．５７５ＧＨｚ付近で共振現象が発生し、信号損失が大きくなっていることが分かる。
【００３７】
これに対し、本発明の実施形態によれば、増幅器１と出力調整回路７の入力間にスイッチ回路３０１を設け、バイパス時にスイッチ回路３０１を導通させることで、ノードＢを交流的な接地とほぼ同じインピーダンスに設定することができる。そのため、増幅器１の寄生容量と出力整合回路７による共振器４０１の生成を防止し、共振による信号損失を低減することができる。
【００３８】
このように、本発明によれば、バイパス回路３の出力を出力整合回路７の出力側に接続し、増幅器１の出力を交流的に接地するか否かを切り替えるスイッチ回路３０１を設けることで、バイパスモードと増幅モードで出力整合回路７の出力側から見たインピーダンスを切り替えることができる。また、増幅器１の寄生容量Ｃと出力整合回路７によって形成されるＬＣ共振器の生成を防止し、バイパスモード時のＬＣ共振現象による信号損失を防止することができる。
【００３９】
尚、本発明は、上記した実施の形態に限定されるものではなく、本発明の要旨を逸脱しない範囲内において種々変更を加え得ることは勿論である。
【図面の簡単な説明】
【００４０】
【図１】本発明の実施形態に係る低雑音受信装置の構成例を示すブロック図である。
【図２】本発明の実施形態に係る低雑音受信装置の構成例を示す回路図である。
【図３】本発明の実施形態に係る低雑音受信装置の通常動作時を示す図である。
【図４】本発明の実施形態に係る低雑音受信装置のバイパス動作時を示す図である。
【図５】周波数とゲインとの関係を示す図である。
【図６】スイッチ回路がない場合の回路構成を示す図である。
【図７】特許文献１に開示された無線低雑音受信装置の構成例を示す図である。
【図８】特許文献２に開示された線低雑音受信装置の構成例を示す図である。
【符号の説明】
【００４１】
１  増幅器
３  バイパス回路
６  入力整合回路
７  出力整合回路
８  入力端子
９  出力端子
３０１  スイッチ回路
３１０、３１１、３１２、３１３  ＤＣカット用コンデンサ
【図１】
2009290411.tif 000003
【図２】
2009290411.tif 000004
【図３】
2009290411.tif 000005
【図４】
2009290411.tif 000006
【図５】
2009290411.tif 000007
【図６】
2009290411.tif 000008
【図７】
2009290411.tif 000009
【図８】
2009290411.tif 000010